(57)【要約】【課題】構造が簡易で、安価に製造できる温室用シート開閉装置を提供する。【解決手段】ガイド機構を紐状部材（ガイド用紐状部材）５０から構成し、その一端を温室の妻面にネジ部材などを介して固定し、他端を駆動機構１の取付フレーム２３の上端に連結する。駆動機構１に対して、ガイド用紐状部材５０の張力が作用するため、駆動機構１の自転が制限され、該駆動機構１を巻き取りパイプ７０に追随して動作させることができる。紐状部材５０という極めて簡易な構成であり、従来のガイドパイプ等を用いていた構造と比較して安価に製造することができる。【選択図】　図１
2004081125.tif 000002
【特許請求の範囲】
【請求項１】
モータの駆動により巻き取りパイプを回転させ、温室用シートをこの巻き取りパイプに巻き取り又は巻き戻しさせて開閉し、ガイド機構により、前記モータの自転を制限して巻き取りパイプと共に移動可能に設けられる駆動機構を備えた温室用シート開閉装置であって、
前記ガイド機構は、一端が任意の不動部に連結され、他端が前記駆動機構に連結され、両端間が常時弛みなく張られた状態で張設された紐状部材から構成され、一端を支点として前記駆動機構と共に他端が変位する構成であることを特徴とする温室用シート開閉装置。
【請求項２】
前記駆動機構が、前記モータを支持する支持フレームと、該支持フレームに支持され、前記モータにより回転動作する回転軸とを備え、この回転軸に巻き取りパイプが連結される構造であり、
前記ガイド機構を構成する紐状部材の他端が、前記モータ又は支持フレームのうち、前記回転軸の配設位置から所定量離間した部位に連結されていることを特徴とする請求項１記載の温室用シート開閉装置。
【請求項３】
前記駆動機構の回転軸が中空に形成され、巻き取りパイプが該回転軸内に挿通されて連結される構造であることを特徴とする請求項１又は２記載の温室用シート開閉装置。
【発明の詳細な説明】
【０００１】
【発明の属する技術分野】
本発明は、温室用シート開閉装置に関し、例えば、温室の側面や谷部等に配設され、換気のために開閉される温室用シート、あるいは温室内において側面や天井面に設けられ、遮光、保温機能の役割を果たすカーテン（内張）として用いられる各種温室用シートを開閉させるための温室用シート開閉装置に関する。
【０００２】
【従来の技術】
例えば、温室の側面に換気用に設けられる巻き上げ式の温室用シートを開閉する場合、該温室用シートの端部に固定された巻き取りパイプに連結されたハンドルを用いて手動で回転させる装置と、モータを利用して回転駆動させる装置がある。
【０００３】
このうち、モータ駆動によって巻き取りパイプを回転させる開閉装置は、モータの自転を防止し、温室用シートを巻き取り又は巻き戻すことにより移動する巻き取りパイプに追随させる必要がある。例えば、特開２００１−１２８５６３号公報には、側面換気用の温室用シートを開閉するに当たって、温室の側面に隣接してガイドパイプを立設し、モータを支持する支持フレームに付設した案内ローラから構成されるガイド機構をこのガイドパイプに係合させることにより自転を制限し、該ガイドパイプに沿って移動可能とする技術が開示されている。
【０００４】
【発明が解決しようとする課題】
しかしながら、上記した開閉装置は、モータ及び該モータを支持する支持フレームのほかに、案内ローラから構成されるガイド機構も一体に設けられている。従って、開閉装置全体の重量が嵩みがちである。また、案内ローラが走行するためのガイドパイプが必須である。ガイドパイプは、温室の側面端部（妻面付近）に隣接して設けられるが、多少なりとも温室の側面端部（妻面付近）から離れているため、その分、温室外側の通路スペースが制限を受ける。また、ガイドパイプの設置作業も面倒である。
【０００５】
本発明は上記に鑑みなされたものであり、極めて簡易な構成でかつ容易に設置できるガイド機構を備え、低コストで提供できる温室用シート開閉装置を提供することを課題とする。
【０００６】
【課題を解決するための手段】
上記した課題を解決するため、請求項１記載の本発明では、モータの駆動により巻き取りパイプを回転させ、温室用シートをこの巻き取りパイプに巻き取り又は巻き戻しさせて開閉し、ガイド機構により、前記モータの自転を制限して巻き取りパイプと共に移動可能に設けられる駆動機構を備えた温室用シート開閉装置であって、
前記ガイド機構は、一端が任意の不動部に連結され、他端が前記駆動機構に連結され、両端間が常時弛みなく張られた状態で張設された紐状部材から構成され、一端を支点として前記駆動機構と共に他端が変位する構成であることを特徴とする温室用シート開閉装置を提供する。
請求項２記載の本発明では、前記駆動機構が、前記モータを支持する支持フレームと、該支持フレームに支持され、前記モータにより回転動作する回転軸とを備え、この回転軸に巻き取りパイプが連結される構造であり、
前記ガイド機構を構成する紐状部材の他端が、前記モータ又は支持フレームのうち、前記回転軸の配設位置から所定量離間した部位に連結されていることを特徴とする請求項１記載の温室用シート開閉装置を提供する。
請求項３記載の本発明では、前記駆動機構の回転軸が中空に形成され、巻き取りパイプが該回転軸内に挿通されて連結される構造であることを特徴とする請求項１又は２記載の温室用シート開閉装置を提供する。
【０００７】
【発明の実施の形態】
以下、図面に示した実施形態に基づき本発明をさらに詳細に説明する。図１〜図４は、本発明の一の実施形態にかかる温室用シート開閉装置を示す図であり、駆動機構１、紐状部材（ガイド用紐状部材）５０を備えて構成される。
【０００８】
本実施形態で用いた駆動機構１は、モータ１０、支持フレーム２０、回転軸３０及びモータ駆動用スイッチとしてのトグルスイッチ４０を有して構成される。モータ１０は、直流モータ、交流モータのいずれでも使用することができるが、同じ出力トルクを得るのに、より小型、軽量なもので済むことから、直流モータを用いることが好ましい。
【０００９】
駆動機構１を構成する支持フレーム２０は、具体的には、図３及び図４に示したように、モータ１０の正面（図３及び図４の下面）から突出する出力軸（図示せず）が内蔵されるケース部材２１と、このケース部材２１から後方に突出する連結フレーム２２と、該連結フレーム２２の後方に設けられ、図３及び図４において、モータ１０の上方に突出する位置まで伸びる取付フレーム２３とを有して構成される。取付フレーム２３の上部には、厚み方向に貫通する貫通孔２３ａが形成されている。
【００１０】
ケース部材２１内には、図示しないギア部材を介して、上記出力軸に連係される回転軸３０が配設されている。回転軸３０は、ケース部材２１の厚み方向（図４において左右方向）に、該ケース部材２１を貫通するように設けられた中空のパイプ材から構成される。この回転軸３０には、温室用シートを巻回する巻き取りパイプ７０が直接又は他の連結パイプ材を介して間接的に連結される。連結の仕方は任意であるが、巻き取りパイプ７０又は連結パイプ材を回転軸３０の中空部を貫通させて配設することが好ましく、回転軸３０は、このように巻き取りパイプ７０等を挿通可能な内径で形成することが好ましい。回転軸３０に巻き取りパイプ７０等を挿通させて配設することにより、駆動機構１の巻き取りパイプ７０に対する取り付け位置の自由度が増し、特に、駆動機構１が巻き取りパイプ７０の長手方向端部のさらに外側に突出することを防止でき、温室の妻面（側面端部）からの突出を小さくできる。また、巻き取りパイプ７０の長手方向端部のいずれであっても使用できるため、温室外のスペース条件に合わせ、各温室ごとに適宜に調整することができる。
【００１１】
また、回転軸３０に巻き取りパイプ７０が貫通して挿通されることにより、駆動機構１は、巻き取りパイプ７０によってその自重がバランス良く支えられることになる。この結果、ガイド機構によって負担すべき駆動機構１の荷重が軽減される。この点も、ガイドパイプ等の強度の高い部材を用いることなく、後述のような紐状部材（ガイド用紐状部材）５０を、駆動機構１の姿勢を制御するガイド機構として機能させることに寄与している。
【００１２】
トグルスイッチ４０は、モータ１０の駆動を制御するものである。このトグルスイッチ４０は、操作部であるレバー４１が中央の中立位置にあるときに、モータ１０への電力供給をＯＦＦし、図３の上方及び下方にそれぞれ傾倒動作した傾倒位置（動作位置）においていずれもＯＮ動作する双投式のもので、かつ、中立位置と傾倒位置との間では、外力を除去しても自動復帰しないタイプのものを用いている。また、トグルスイッチ４０は、モータ１０に、ケース部材２１の内部で配線を介して接続されていると共に、操作部であるレバー４１を、支持フレーム２０を構成するケース部材２１から外方に突出させて設けている。従って、傾倒位置に位置しているレバー４１に対し、所望の位置において中立位置に復帰させる外力を付与することができる構成とすれば、それにより、電力供給をＯＦＦできるため、モータ１０の駆動を自動的に停止させることができる。
【００１３】
レバー４１に対し、このような所望の位置で中立位置に復帰させる外力を付与する駆動停止部材として、本実施形態では、図１に示したように、一端を任意の不動部に、例えば、温室の妻面に設けたネジ部材１１０に連結し、他端をレバー４１に連結した紐状部材（以下、「駆動停止用紐状部材」という）６０を用いている。この駆動停止用紐状部材６０は、駆動機構１が、巻き取り停止位置（Ｂ位置）及び巻き戻し停止位置（Ｃ位置）に至った時の双方の時点で張り、レバー４１に対し、中立位置に傾倒させる張力を付与することができるものである。従って、駆動機構１が、巻き取り停止位置と巻き戻し停止位置との間で移動している際には、駆動停止用紐状部材６０は弛んだ状態で、レバー４１に対して何らの作用も及ぼさない構造となっている。駆動停止用紐状部材６０としては、かかる機能を果たす長尺なものであればよく、糸状のものや帯状のもの等を用いることができる。
【００１４】
また、駆動停止部材としては、図２に示したように、巻き取り停止位置及び巻き戻し停止位置に対応する部位に、温室の妻面から外方に突出する突起部材８０を設け、この突起部材８０にレバー４１が接触する構成とすることもできる。
【００１５】
ここで、レバー４１の中立位置において、該レバー４１の両脇部に位置するように、支持フレーム２０を構成するケース部材２１から突出するガード片２４を設けることが好ましい。なお、ガード片２４は、レバー４１の幅とほぼ同じかやや幅広の部材が用いられる。例えば、巻き取り停止位置及び巻き戻し停止位置において、図２に示したように、温室の妻面から突出する突起部材８０を設け、これに接触することによりレバー４１を中立位置に傾倒させる構成とした場合、風等による温室用シートのばたつきによって、巻き取りパイプ７０が上下動すると、ガード片２４を設けない場合には、突起部材にレバー４１が接触し、中立位置からいずれかの動作位置（傾倒位置）に倒れてＯＮ動作してしまうおそれがある。これに対し、ガード片２４を設けた場合には、このような温室用シートのばたつき等が発生しても、突起部材８０に対しては、ガード片２４が接触するため、誤ってＯＮ動作することを防止できる。
【００１６】
駆動停止部材として、駆動停止用紐状部材６０を用いた場合には、張力が増すことによって、いずれかの動作位置（傾倒位置）から中立位置に戻された時には、既に張力が低下し、駆動停止用紐状部材６０にはある程度の弛みが生じている。従って、温室用シートのばたつきにより巻き取りパイプ７０が多少上下動したとしても、中立位置から動作位置に即座に傾倒して誤ってＯＮ動作するということはない。このため、駆動停止部材として上記した駆動停止用紐状部材６０を用いた場合には、ガード片２４は原則的には設けなくても構わない。
【００１７】
ガイド機構を構成する紐状部材（ガイド用紐状部材）５０は、図１に示したように、一端を任意の不動部、例えば、温室の妻面に固定したネジ部材１００に連結されて配設される。このガイド用紐状部材５０は、その他端を上記したガイド機構１の取付フレーム２３の上部に形成した貫通孔２３ａに連結され、両端間が常時弛みなく張られた状態で設けられる。この結果、上記ネジ部材１００に連結された一端を支点として他端は円弧を描くように変位する。その一方、巻き取りパイプ７０に連結された回転軸３０と温室の側面との相対距離はほとんど変位することはできない。従って、ガイド用紐状部材５０の他端が連結された取付フレーム２３を含む支持フレーム２０は、図１に示したように該ガイド用紐状部材５０の一端と他端とが水平の状態で張設されている場合（Ａ位置）に最も大きく後傾し、巻き取り停止位置（Ｂ位置）及び巻き戻し停止位置（Ｃ位置）に至ると最も大きく前傾するように姿勢の調整がなされる。
【００１８】
本実施形態のガイド用紐状部材５０は、このような簡易な構成でありながら、モータ１０の自転を制限し、駆動機構１を巻き取りパイプ７０に追随して移動する構成とすることができる。また、ガイド用紐状部材５０の他端の連結位置は、このように取付フレーム２３の上部でなくてもよく、例えば、モータ１０の頂部であってもよいが、回転軸３０との離間距離が近いほど、モータ１０の自転を抑制する力が小さくなる。従って、モータ１０及び支持フレーム２０のうち、回転軸３０から所定量離間した部位、好ましくはできるだけ離れた位置に連結することが好ましい。なお、ガイド用紐状部材５０は、長尺なものであればよく、糸状のものや帯状のもの等を用いることができる。
【００１９】
次に、本実施形態の作用を説明する。まず、側面に開口させた換気部を開閉する温室用シートが巻き戻し停止位置（図１のＣ位置）に位置して閉鎖された状態であるとする。かかる状態から温室用シートを開放していく場合には、作業者は、トグルスイッチ４０のレバー４１を、上方向に傾倒させる。これにより、モータ１０が駆動し、その駆動力が回転軸３０に伝達され、回転軸３０と共に巻き取りパイプ７０が回転する。巻き取りパイプ７０が回転すると温室用シートを巻き取りながら開放していく。駆動機構１は、ガイド用紐状部材５０の張力が常時支持フレーム２０に加わっているため、自転が制限され、所定の姿勢で制御されつつ、巻き取りパイプ５０に追随して上昇していく。なお、ガイド用紐状部材５０は、その一端を中心として他端が円弧を描くように変位するため、支持フレーム２０及びモータ１０は、該ガイド用紐状部材５０に規制されて、回転軸３０の周囲で僅かに回転し、上昇するに従ってやや前傾姿勢（図１のＣ位置の姿勢）からやや後傾姿勢（図１のＡ位置の姿勢）に変化し、さらに上昇すると再度やや前傾姿勢（図１のＢ位置の姿勢）に変化する。
【００２０】
この際、駆動停止用紐状部材６０は、駆動機構１が、巻き戻し停止位置（図１のＣ位置）から上昇するに従って弛んだ状態となる。そして、駆動機構１が上昇し、巻き取り停止位置（図１のＢ位置）に至ると、張力が高くなり、上方向に傾倒されていたトグルスイッチ４０のレバー４１を中立位置に復帰させる。これにより、モータ１０への電力供給がＯＦＦされ、回転軸３０及び巻き取りパイプ７０の回転が停止する。
【００２１】
一方、温室用シートを開放状態から閉じる際には、トグルスイッチ４０のレバー４１を作業者が下方向に傾倒させる。これにより、モータ１０が逆方向に駆動し、回転軸３０及び巻き取りパイプ７０が上記と逆方向に回転して、巻き取っていた温室用シートを巻き戻していく。このため、駆動機構１は、巻き取りパイプ７０と共に下降していく。駆動停止用紐状部材６０は、駆動機構１が下降し始めると弛むが、巻き戻し停止位置に接近するに従って、再度張られ始め、巻き戻し停止位置に至ると、張力が大きくなり、トグルスイッチ４０のレバー４１を上方向に傾倒させ、中立位置に復帰させる。この結果、モータ１０への電力供給がＯＦＦされ、回転軸３０及び巻き取りパイプ７０の回転が停止し、温室用シートによって換気部を閉鎖する。
【００２２】
本実施形態によれば、このようにガイド用紐状部材５０を、常時張った状態で設けることによって、駆動機構１の姿勢を制御しつつ、巻き取りパイプ７０と共に上下動させることができる。この結果、ガイド機構の構成が極めて簡素化される。
【００２３】
なお、本発明は上記した実施形態に限定されるものではないことはもちろんである。上記した実施形態においては、駆動機構１への電力供給を制御するトグルスイッチ４０などのモータ駆動用スイッチを用い、このモータ駆動用スイッチに対し、外力を付与して巻き取り停止位置又は巻き戻し停止位置で、モータの駆動が停止される構成である。しかしながら、本発明においては、ガイド機構として上記の紐状部材（ガイド用紐状部材）を用いることができる限り、制御対象となる駆動機構の構造は何ら限定されるものではない。従って、例えば、特開２００１−１２８５６３号公報に開示されている駆動機構のように、モータに２つのリミットスイッチを付設し、モータの駆動により回転するように設けた突片が、温室用シートの開方向に所定量駆動すると一方のリミットスイッチに接して上限位置でモータの駆動を停止させ、温室用シートの閉方向に所定量駆動すると他方のリミットスイッチに接して下限位置でモータの駆動を停止させるものを用いることもできる。
【００２４】
また、上記した説明では温室の側部に設けられる換気用の温室用シートを開閉する場合について説明しているが、連棟式の温室における谷部の換気を行うための温室用シートや、温室内において天井面や側面に沿って配設される遮光、保温用のカーテン（内張）として使用される巻き取りパイプに連結して用いることも可能である。
【００２５】
【発明の効果】
本発明の温室用シート開閉装置は、一端が任意の不動部に連結され、他端が駆動機構に連結され、両端間が常時弛みなく張られた状態で張設された紐状部材から構成されるガイド機構を備え、該紐状部材の一端を支点として他端が駆動機構と共に変位する構成である。従って、紐状部材という極めて簡易な構成で駆動機構の姿勢を制御できると共に、設置も容易であり、しかも低コストで提供できる。
【図面の簡単な説明】
【図１】図１は、本発明の温室用シート開閉装置の一の実施形態を示す図である。
【図２】図２は、他の態様にかかる駆動停止部材を用いた温室用シート開閉装置の実施形態を示す図である。
【図３】図３は、上記実施形態で用いた駆動機構を示す側面図である。
【図４】図４は、上記実施形態で用いた駆動機構を示す正面図である。
【符号の説明】
１　駆動機構
１０　モータ
２０　支持フレーム
２３　取付フレーム
３０　回転軸
４０　トグルスイッチ
４１　レバー
５０　ガイド用紐状部材
６０　駆動停止用紐状部材
７０　巻き取りパイプ
８０　突起部材
【図１】
2004081125.tif 000003
【図２】
2004081125.tif 000004
【図３】
2004081125.tif 000005
【図４】
2004081125.tif 000006